(57)【要約】      （修正有）【課題】積み上げられた景品が光透過性カバーに倒れかかった場合においても、光透過性カバーを開くことができる景品支持部材及び遊技装置を提供する。【解決手段】遊技装置は、遊技空間を覆う光透過性カバー１０８と、遊技空間内で回転軸を中心に回転するターンテーブルと、回転軸を軸支する台座１０１と、回転軸側から外周側に延出した固定テーブル１０４と、固定テーブル１０４上に複数段に積み重ねられた景品Ｃと、固定テーブル１０４上を往復移動するスライドテーブル１０６と、光透過性カバー１０８の内側に光透過性カバー１０８と所定の空間を空けて設けられた景品支持部材１０とを備える。景品支持部材は、光透過性部材で平板状に形成された本体部と、本体部の下部に設けられた開口部１０ｂとを備える。【選択図】図３
0003168772.tif 000002
【実用新案登録請求の範囲】
【請求項１】
光透過性部材で形成され、遊技空間を覆う光透過性カバーと、前記遊技空間内に設けられた固定テーブルと、前記固定テーブル上に複数段に積み重ねられた景品とを備えた遊技装置に設けられる景品支持部材であって、
光透過性部材で平板状に形成された本体部と、前記本体部の下部に設けられた開口部とを備え、前記固定テーブルの延長上であって前記光透過性カバーとの間に前記本体部の下部が配置され、前記光透過性カバーの内側に前記光透過性カバーと空間を空けて設けられる
ことを特徴とする景品支持部材。
【請求項２】
前記開口部の開口面積を調整可能なように、前記本体部に対してスライド自在に支持された蓋部を、
さらに有したことを特徴とする請求項１記載の景品支持部材。
【請求項３】
前記開口部の開口面積を調整可能なように複数の取付孔が設けられ、前記複数の取付孔のうち、少なくとも１つの取付孔により前記本体部に取り付けられた蓋部を、
さらに有したことを特徴とする請求項１記載の景品支持部材。
【請求項４】
前記固定テーブル上に複数段に積み重ねられた景品の一部が前記固定テーブルから落下しないように、前記本体部の前記固定テーブル側に取り付けられた支持部
を更に備えたことを特徴とする請求項１〜３のいずれか１項記載の景品支持部材。
【請求項５】
前記支持部は、
前記本体部への取り付け位置が上下方向にスライド自在になるように取り付けられた
ことを特徴とする請求項４記載の景品支持部材。
【請求項６】
前記支持部は、
前記本体部の上下方向に複数設けられた取付孔のうち、少なくとも１つの取付孔に取り付けられた
ことを特徴とする請求項４記載の景品支持部材。
【請求項７】
光透過性部材で形成され、遊技空間を覆う光透過性カバーと、
前記遊技空間内で回転軸を中心に回転するターンテーブルと、
前記回転軸を回転可能に軸支する台座と、
前記ターンテーブルの上方で前記台座に固定され、前記回転軸側から前記ターンテーブルの外周側に延出した固定テーブルと、
前記固定テーブルの端部の下方に設置された景品払出口と、
前記固定テーブル上に複数段に積み重ねられた景品と、前記固定テーブル上を前記景品払出口に近づき又は遠ざかるように往復移動するスライドテーブルと、
光透過性部材で平板状に形成された本体部と、前記本体部の下部に設けられた開口部とを備え、前記固定テーブルの端部側の前記光透過性カバー近傍に前記本体部の下部が配置されると共に、前記台座に前記本体部の上部が配置されることにより、前記光透過性カバーの内側に前記光透過性カバーと空間を空けて設けられた景品支持部材と、
を備えたことを特徴とする遊技装置。
【請求項８】
前記景品支持部材は、
前記開口部の開口面積を調整可能なように、前記本体部に対してスライド自在に支持された蓋部を、さらに有した
ことを特徴とする請求項７記載の遊技装置。
【請求項９】
前記景品支持部材は、
前記開口部の開口面積を調整可能なように複数の取付孔が設けられ、前記複数の取付孔のうち、少なくとも１つの取付孔により前記本体部に取り付けられた蓋部を、さらに有した
ことを特徴とする請求項７記載の景品支持部材。
【請求項１０】
前記景品支持部材は、
前記固定テーブル上に複数段に積み重ねられた景品が、前記ターンテーブル側へ転倒する際に、前記積み重ねられた景品の一部が前記ターンテーブル上へ落下するように、前記本体部の前記回転軸側に取り付けられた支持部を、さらに有した
ことを特徴とする請求項８又は９記載の遊技装置。
【請求項１１】
前記支持部は、
前記本体部への取り付け位置が上下方向にスライド自在になるように取り付けられた
ことを特徴とする請求項１０記載の景品支持部材。
【請求項１２】
前記支持部は、
前記本体部の上下方向に複数設けられた取付孔のうち、少なくとも１つの取付孔に取り付けられた
ことを特徴とする請求項１０記載の景品支持部材。
【考案の詳細な説明】
【技術分野】
【０００１】
本考案は、固定テーブル上に積み上げられた景品が倒れかかった場合に、倒れかかった景品を支持する景品支持部材及び遊技装置に関する。
【背景技術】
【０００２】
昨今、ゲームセンター等の遊技施設には、プッシャー型の遊技装置が設置されることが多い。
【０００３】
一般的なプッシャー型の遊技装置は、回転するターンテーブルと、このターンテーブル上に配置された景品を掬い上げるショベルと、固定テーブルと、この固定テーブル上を景品払出口に近づき又は遠ざかるように往復移動するスライドテーブルと、ターンテーブル上部の遊技空間全体を覆う光透過性カバーとを備えるものがある。そして、この一般的なプッシャー型の遊技装置は、遊技者の入力操作に基づいて、ターンテーブル上に配置された景品をショベルにより掬い上げ、固定テーブルの上に落下させる。
【０００４】
固定テーブル上に落下した景品は、往復運動するスライドテーブルに押される。固定テーブル上の景品がスライドテーブルにより押されて固定テーブルから落下し景品払出口に投入された場合、遊技者は、その景品を獲得できる構成となっている。
【０００５】
また、プッシャー型の遊技装置に、さらに遊技意欲を高めるために、追加機能を有するプッシャー型の遊技装置も提案されている。
【０００６】
例えば、特許文献１には、メインボードの上方に景品を収めた状態で段階的に回動可能に配置され、所定量以上回動すると、上側の開口部から景品を落下させるバケットと、バケットの回動動作を指定するための回動数を含む複数の情報の中からいずれかを決定するチャンスジェネレータと、チャンスジェネレータを動作させてバケットの回動数を決定し、その決定内容に従ってバケットを回動させるバケット回動制御手段とを備えたプッシャー型の遊技装置が提案されている。
【０００７】
また、特許文献２には、景品を貯溜する景品貯溜部と、景品貯溜部を景品獲得口近傍の上方に配置させる枠体と、景品貯溜部に連結され、景品貯溜部に貯溜された景品を落下させる景品落下手段とを有し、景品落下手段は、固定テーブル上に載置される錘部材を備え、錘部材が固定テーブルから落下した際に、錘部材の荷重により景品貯溜部を傾け、景品貯溜部に貯溜した景品を落下させるプッシャー型の遊技装置が提案されている。
【先行技術文献】
【特許文献】
【０００８】
【特許文献１】特許第３９９６３７６号公報
【特許文献２】特許第３３７２５０８号公報
【考案の概要】
【考案が解決しようとする課題】
【０００９】
しかしながら、特許文献１及び特許文献２に記載のプッシャー型の遊技装置では、景品自体の視認性が悪い。そのため、景品の視認性が良く、複雑な機械構成を追加することなく、さらに遊技意欲を高めることができるプッシャー型の遊技装置が切望されていた。
【００１０】
そこで、固定テーブル上に、景品自体を高く積み上げるという景品運営が行われる場合がある。この運営方法により、積み上げられた景品が崩れて一度に多量の景品を獲得できる可能性をアピールし、遊技者の遊技意欲を高めるという効果が期待できる。
【００１１】
しかしながら、固定テーブル上に、景品自体を高く積み上げると、積み上げられた景品が遊技空間全体を覆う光透過性カバーに倒れかかり、崩れることなく倒れかかった状態で保持される場合があった。このように、積み上げられた景品が光透過性カバーに倒れかかって保持されると、他の遊技者が遊技している間、光透過性カバーを開くことができず、景品を補充することができないという課題があった。
【００１２】
本考案は、上記課題に鑑みてなされたものであり、積み上げられた景品が光透過性カバーに倒れかかった場合においても、光透過性カバーを開くことができる景品支持部材及び遊技装置を提供することを目的とする。
【課題を解決するための手段】
【００１３】
上記目的を達成するため、本考案に係る景品支持部材の第１の特徴は、光透過性部材で形成され、遊技空間を覆う光透過性カバーと、前記遊技空間内に設けられた固定テーブルと、前記固定テーブル上に複数段に積み重ねられた景品とを備えた遊技装置に設けられる景品支持部材であって、光透過性部材で平板状に形成された本体部と、前記本体部の下部に設けられた開口部とを備え、前記固定テーブルの延長上であって前記光透過性カバーとの間に前記本体部の下部が配置され、前記光透過性カバーの内側に前記光透過性カバーと空間を空けて設けられることにある。
【００１４】
上記目的を達成するため、本考案に係る景品支持部材の第２の特徴は、前記開口部の開口面積を調整可能なように、前記本体部に対してスライド自在に支持された蓋部を、さらに有したことにある。
【００１５】
上記目的を達成するため、本考案に係る景品支持部材の第３の特徴は、前記開口部の開口面積を調整可能なように複数の取付孔が設けられ、前記複数の取付孔のうち、少なくとも１つの取付孔により前記本体部に取り付けられた蓋部を、さらに有したことにある。
【００１６】
上記目的を達成するため、本考案に係る景品支持部材の第４の特徴は、前記固定テーブル上に複数段に積み重ねられた景品の一部が前記固定テーブルから落下しないように、前記本体部の前記固定テーブル側に取り付けられた支持部を更に備えたことにある。
【００１７】
上記目的を達成するため、本考案に係る景品支持部材の第５の特徴は、前記支持部は、前記本体部への取り付け位置が上下方向にスライド自在になるように取り付けられたことにある。
【００１８】
上記目的を達成するため、本考案に係る景品支持部材の第６の特徴は、前記支持部は、前記本体部の上下方向に複数設けられた取付孔のうち、少なくとも１つの取付孔に取り付けられたことにある。
【００１９】
上記目的を達成するため、本考案に係る遊技装置の第１の特徴は、光透過性部材で形成され、遊技空間を覆う光透過性カバーと、前記遊技空間内で回転軸を中心に回転するターンテーブルと、前記回転軸を回転可能に軸支する台座と、前記ターンテーブルの上方で前記台座に固定され、前記回転軸側から前記ターンテーブルの外周側に延出した固定テーブルと、前記固定テーブルの端部の下方に設置された景品払出口と、前記固定テーブル上に複数段に積み重ねられた景品と、前記固定テーブル上を前記景品払出口に近づき又は遠ざかるように往復移動するスライドテーブルと、光透過性部材で平板状に形成された本体部と、前記本体部の下部に設けられた開口部とを備え、前記固定テーブルの端部側の前記光透過性カバー近傍に前記本体部の下部が配置されると共に、前記台座に前記本体部の上部が配置されることにより、前記光透過性カバーの内側に前記光透過性カバーと空間を空けて設けられた景品支持部材と、を備えたことにある。
【００２０】
上記目的を達成するため、本考案に係る遊技装置の第２の特徴は、前記景品支持部材は、前記開口部の開口面積を調整可能なように、前記本体部に対してスライド自在に支持された蓋部を、さらに有したことにある。
【００２１】
上記目的を達成するため、本考案に係る遊技装置の第３の特徴は、前記景品支持部材は、前記開口部の開口面積を調整可能なように複数の取付孔が設けられ、前記複数の取付孔のうち、少なくとも１つの取付孔により前記本体部に取り付けられた蓋部を、さらに有したことにある。
【００２２】
上記目的を達成するため、本考案に係る遊技装置の第４の特徴は、前記景品支持部材は、前記固定テーブル上に複数段に積み重ねられた景品が、前記ターンテーブル側へ転倒する際に、前記積み重ねられた景品の一部が前記ターンテーブル上へ落下するように、前記本体部の前記回転軸側に取り付けられた支持部を、さらに有したことにある。
【００２３】
上記目的を達成するため、本考案に係る遊技装置の第５の特徴は、前記支持部は、前記本体部への取り付け位置が上下方向にスライド自在になるように取り付けられたことにある。
【００２４】
上記目的を達成するため、本考案に係る遊技装置の第６の特徴は、前記支持部は、前記本体部の上下方向に複数設けられた取付孔のうち、少なくとも１つの取付孔に取り付けられたことにある。
【考案の効果】
【００２５】
本考案に係る景品支持部材及び遊技装置によれば、積み上げられた景品が光透過性カバーに倒れかかった場合においても、光透過性カバーを開くことができると共に、景品の一部を払い出し、一部を回収することができる。
【図面の簡単な説明】
【００２６】
【図１】本考案の実施例１である遊技装置の斜視図である。
【図２】本考案の実施例１である遊技装置を構成するターンテーブル部分の構成を示した平面図である。
【図３】本考案の実施例１である遊技装置の側面図である。
【図４】本考案の実施例１である遊技装置に備えられた景品支持部材の正面図である。
【図５】本考案の実施例１である遊技装置が備えるショベル機構部により景品Ａが掬い上げられた状態を示した図である。
【図６】本考案の実施例１である遊技装置が備えるショベル機構部により掬い上げられた景品が固定テーブル上に落下された状態を示した図である。
【図７】本考案の実施例１である遊技装置が備える景品が景品支持部材に倒れかかった状態を示した図である。
【図８】本考案の実施例１である遊技装置において、景品が崩れた状態を示した図である。
【図９】（ａ）は、本考案の実施例２である遊技装置に備えられた景品支持部材の正面図であり、（ｂ）は、本考案の実施例２である遊技装置に備えられた景品支持部材の側面図である。
【図１０】（ａ）は、本考案の実施例２である遊技装置において、図９（ｂ）に示したＺ方向から見た支持部の構成を示した図であり、（ｂ）は、本考案の実施例２である遊技装置において、垂直方向に対して傾斜して取り付けられた場合における支持部の構成を示した図である。
【図１１】（ａ）は、本考案の実施例２である遊技装置の正面図である。（ｂ）は、景品がＪ方向に転倒した場合における本考案の実施例２である遊技装置を示した図である。
【図１２】本考案の実施例３である遊技装置に備えられた景品支持部材の蓋部及び支持部を拡大して示した拡大正面図である。
【考案を実施するための形態】
【００２７】
以下、本考案を実施するための最良の形態について図面を参照して説明する。
【実施例１】
【００２８】
本考案の実施例１では、遊技装置を例に挙げて説明する。
【００２９】
図１は、本考案の実施例１である遊技装置の斜視図である。
【００３０】
図１に示すように、遊技装置１００は、複数の景品Ａ（図示しない）を配置するターンテーブル１０２と、ターンテーブル１０２に配置された景品Ａを掬い上げるショベル機構部１０３と、掬い上げた景品Ａを載置する固定テーブル１０４と、固定テーブル１０４に添って景品払出口１０５に近づき或いは遠ざかるように往復スライド移動するスライドテーブル１０６と、ショベル機構部１０３の操作部１０７と、景品Ａに外部から干渉できないように、遊技空間を覆う光透過性カバー１０８とを備える。
【００３１】
ターンテーブル１０２は、円盤状の平板を備えており、この平板上に複数の景品Ａが載置される。そして、複数の景品Ａが載置された状態で回転軸Ｐを中心に所定平面上をゆっくりと回転する。
【００３２】
固定テーブル１０４は、ターンテーブル１０２の上方において台座１０１に固定され、回転軸Ｐ側からターンテーブル１０２の外周側に延出する平板である。固定テーブル１０４の外周側端部は、景品払出口１０５上方に達するように構成されている。
【００３３】
スライドテーブル１０６は、固定テーブル１０４上面に沿って景品払出口１０５に近づき或いは遠ざかるように往復スライド運動する平板である。なお、スライドテーブル１０６の駆動方法は公知の技術を適宜使用するものとし、ここでの説明は省略する。
【００３４】
操作部１０７は、遊技者の操作に基づいて、ショベル機構部１０３を動作させるための操作信号を生成する。具体的には、操作部１０７は、ショベル機構部１０３に始動させるための操作信号を生成する始動指示ボタン１０７ａと、固定テーブル１０４上に景品を落下させるための操作信号を生成する落下指示ボタン１０７ｂとを有している。
【００３５】
ショベル機構部１０３は、遊技者の操作に応じて操作部１０７により生成された操作信号に基づいて、アーム１０３ａをモータ（図示しない）によって回転させ、景品Ａを掬い上げることができる曲面を成すショベル１０３ｂでターンテーブル１０２に配置された景品Ａを掬い上げる。そして、遊技者の操作に応じて操作部１０７により生成された操作信号に基づいて、固定テーブル１０４上に掬い上げられた景品Ａを落下させる。
【００３６】
また、遊技装置１００は景品支持部材１０を備えており、景品支持部材１０は、固定テーブル１０４の端部側の光透過性カバー１０８近傍に下部が配置されると共に、台座１０１に上部が配置されている。
【００３７】
なお、本考案の実施例１である遊技装置１００は、上述したショベル機構部１０３と、固定テーブル１０４と、スライドテーブル１０６と、操作部１０７と、景品払出口１０５とを一組として、計４個所のプレイポジションを上面視略十字に備える。従って、本考案の実施例１である遊技装置１００では同時に４人の遊技者がゲームを楽しむことができる。
【００３８】
図２は、本考案の実施例１である遊技装置１００を構成するターンテーブル１０２部分の構成を示した平面図である。なお、図２では、説明のため、ショベル機構部１０３等は省略してある。
【００３９】
図２に示すように、ターンテーブル１０２は、台座１０１の中央下部に固定されたモータ（図示しない）によって支持されて回転軸Ｐを中心に、Ｒ方向に回転駆動される。
【００４０】
スライドテーブル１０６は、固定テーブル１０４上面に沿って景品払出口１０５に近づき或いは遠ざかるように、即ちＳ１方向及びＳ２方向に往復スライド移動を行う。
【００４１】
なお、図１に示した図では、上面視略十字に備えられた計４個所のプレイポジションのうち、１つのプレイポジションにのみ、景品支持部材１０が設けられた構成を示したが、１つのプレイポジションに限らず、図２に示した計４個所のプレイポジションのうち、例えば、全てのプレイポジションに設けるようにしてもよいし、いずれか１つ以上の任意のプレイポジションに設けられていればよい。
【００４２】
図３は、本考案の実施例１である遊技装置１００の側面図である。
【００４３】
図３に示すように、固定テーブル１０４上には、直方体である複数の景品Ｂが直立して載置されており、この景品Ｂ上には、例えば板チョコレートなどの板状の景品Ｃが複数段に積み上げられている。これにより、積み上げられた景品Ｂが倒れることにより景品Ｃが崩れて一度に多量の景品Ｃを獲得できる可能性をアピールし、遊技者の遊技意欲を高めるという効果が期待できる。
【００４４】
また、遊技装置１００には、光透過性部材で平板状に形成された景品支持部材１０が設けられている。景品支持部材１０は、固定テーブル１０４の端部側の光透過性カバー１０８近傍のフレーム１１０に下部１１ａが配置されると共に、台座１０１に上部１１ｂが配置されることにより、光透過性カバー１０８の内側に光透過性カバー１０８と所定の空間１１１を空けて設けられている。
【００４５】
ここで、後述するように、所定の空間１１１は、大きいほど固定テーブル１０４に対する角度が小さくなるので、固定テーブル１０４上に落下する景品Ｃの数が多くなり、景品払出口１０５へ落下する景品Ｃの数は少なくなる。一方、所定の空間１１１は、小さいほど固定テーブル１０４に対する角度は大きくなるので、固定テーブル１０４上に落下する景品Ｃの数が少なくなり、景品払出口１０５へ落下する景品Ｃの数は多くなる。そのため、遊技装置１００を運営する運営者は、景品支持部材１０の長さを調整したり、景品支持部材１０の上部の取り付け位置を変更したりして、所定の空間１１１、即ち、景品支持部材１０の傾き角度を調整することにより、景品Ｃの払い出し率を調整することができる。
【００４６】
このように、遊技装置１００は、固定テーブル１０４に対するターンテーブル１０２の外周側に下部が配置されると共に、台座１０１に上部が配置されることにより、光透過性カバー１０８の内側に光透過性カバー１０８と所定の空間を空けて設けられ景品支持部材１０を備えているので、積み上げられた景品Ｃが光透過性カバー１０８に倒れかかった場合においても、景品Ｃが光透過性カバー１０８に接触することがないので、光透過性カバー１０８を開くことができる。
【００４７】
図４は、本考案の実施例１である遊技装置１００に備えられた景品支持部材１０の正面図である。
【００４８】
図４に示すように、景品支持部材１０は、光透過性部材で平板状に形成された本体部１０ａと、下部には、景品支持部材１０に倒れかかった景品Ｃの一部が景品払出口１０５へ落下するように、開口部１０ｂとを備えている。そのため、遊技者が遊技している最中も遊技者の視界を遮ることはない。
【００４９】
そして、景品支持部材１０の下部の脚部１２が、固定テーブル１０４の端部側の光透過性カバー１０８近傍に配置される。具体的には、景品支持部材１０の下部１１ａの脚部１２は、固定テーブル１０４の端部から景品払出口１０５の開口距離だけ離れた光透過性カバー１０８を支持するフレーム１１０に接するように配置されている。なお、脚部１２は、フレーム１１０に接するように固定せずに配置してもよいし、ビスやネジ等の固定部材でフレーム１１０に固定してもよい。
【００５０】
また、景品支持部材１０の上部１１ｂは、直線で切断された形状を有しており、台座１０１に接するように配置される。なお、景品支持部材１０の上部１１ｂは、台座１０１に接するように固定せずに配置してもよいし、ビスやネジ等の固定部材で台座１０１に固定してもよい。
【００５１】
＜本考案の実施例１である遊技装置１００の作用＞
次に、本考案の実施例１である遊技装置１００における作用について説明する。
【００５２】
図５〜図８は、本考案の実施例１である遊技装置１００における作用について説明した図である。
【００５３】
図５は、本考案の実施例１である遊技装置１００が備えるショベル機構部１０３により景品Ａが掬い上げられた状態を示した図である。
【００５４】
遊技者が操作部１０７の始動指示ボタン１０７ａを押下操作することにより、ショベル機構部１０３の掬い上げ動作の開始を入力すると、アーム１０３ａは、ターンテーブル１０２底面に向けて運動し、先端のショベル１０３ｂはターンテーブル１０２の底面に達すると、図５に示すように、ショベル１０３ｂによってターンテーブル１０２に配置された景品Ａを掬い上げる。
【００５５】
そして、遊技者が落下指示ボタン１０７ｂを押下操作すると、ショベル１０３ｂは傾斜し、掬い上げた景品Ａを固定テーブル１０４上に落下させる。
【００５６】
図６は、本考案の実施例１である遊技装置１００が備えるショベル機構部１０３により掬い上げられた景品Ａが固定テーブル１０４上に落下された状態を示した図である。
【００５７】
図６に示すように、掬い上げた景品Ａが固定テーブル１０４上に落下させると、スライドテーブル１０６が、Ｓ１方向及びＳ２方向に往復スライド移動を行うことにより、積み上げられた景品Ｂ及び景品ＣがＦ方向に転倒する。
【００５８】
図７は、本考案の実施例１である遊技装置１００が備える景品Ｂ及び景品Ｃが景品支持部材１０に倒れかかった状態を示した図である。
【００５９】
図７に示すように、景品支持部材１０は、光透過性カバー１０８の内側に光透過性カバー１０８と所定の空間を空けて設けられているので、Ｆ方向に転倒した景品Ｂ及び景品Ｃは、景品支持部材１０に倒れかかる。
【００６０】
このとき、Ｆ方向に転倒した景品Ｃのうち、開口部１０ｂの位置に達した景品Ｃを景品Ｃ１といい、開口部１０ｂではなく景品支持部材１０の本体部１０ａに倒れかかった景品Ｃを景品Ｃ２という。
【００６１】
図８は、景品Ｂ及び景品Ｃが崩れた状態を示した図である。
【００６２】
図８に示すように、景品Ｂ及び景品ＣがＦ方向に転倒すると、景品Ｂは景品払出口１０５へ落下する。
【００６３】
さらに、上述したように、景品支持部材１０の下部には、開口部１０ｂが設けられているので、Ｆ方向に転倒した景品Ｃのうち、開口部１０ｂの位置に達した景品Ｃ１は、本体部１０ａに倒れかかることなく開口部１０ｂを通過して、光透過性カバー１０８に衝突する。
【００６４】
一方、Ｆ方向に転倒した景品Ｃのうち、本体部１０ａの位置に達した景品Ｃ２は、本体部１０ａに倒れかかる。
【００６５】
このように、景品Ｃ１は、本体部１０ａに倒れかかることなく開口部１０ｂを通過し、景品Ｃ２は、本体部１０ａに倒れかかるので、景品Ｃは、本体部１０ａに倒れかかった状態で保持することができず、景品Ｃ１は崩れ、崩れた景品Ｃ１は景品払出口１０５へ落下する。また、景品Ｃ２は、景品Ｂが転倒して崩れることにより落下する。このとき、景品支持部材１０は、光透過性カバー１０８の内側に光透過性カバー１０８と所定の空間を空けて設けられるので、景品払出口１０５へ落下することなく、景品Ｃ２は、固定テーブル１０４上に落下する。
【００６６】
これにより、積み上げられた景品Ｃが光透過性カバー１０８に倒れかかった場合においても、景品Ｃの全てを景品払出口１０５へ落下させることなく、一部（景品Ｃ１）を景品払出口１０５へ落下させて払い出すと共に、一部（景品Ｃ２）を固定テーブル１０４上に落下させて回収することができる。
【００６７】
以上のように、本考案の実施例１である遊技装置１００は、固定テーブル１０４の端部側の光透過性カバー１０８近傍に下部が配置されると共に、台座１０１に上部が配置して設けられた景品支持部材１０を備えているので、積み上げられた景品Ｃが光透過性カバー１０８の方向に倒れかかった場合においても、光透過性カバー１０８を開くことができる。また、景品支持部材１０は、光透過性カバー１０８の内側に光透過性カバー１０８と所定の空間を空けて設けられており、下部に開口部１０ｂが設けられているので、積み上げられた景品Ｃが光透過性カバー１０８側に倒れかかった場合においても、景品Ｃ全てを景品払出口１０５へ落下させることなく、一部を回収することができる。
【実施例２】
【００６８】
本考案の実施例１では、固定テーブル１０４の端部側に下部が配置されると共に、台座１０１に上部が配置して設けられた景品支持部材１０を備えた遊技装置１００を例に挙げて説明した。
【００６９】
本考案の実施例２では、さらに、開口部１０ｂの開口面積を調整するための蓋部と、本体部１０ａの回転軸側（中心部側）に取り付けられた支持部を有する景品支持部材を備えた遊技装置２００を例に挙げて説明する。
【００７０】
図９（ａ）は、本考案の実施例２である遊技装置２００に備えられた景品支持部材２０の正面図であり、図９（ｂ）は、本考案の実施例２である遊技装置２００に備えられた景品支持部材２０の側面図である。
【００７１】
図９（ａ）に示すように、景品支持部材２０は、景品支持部材１０と同様に、光透過性部材で平板状に形成された本体部２０ａと、下部には、景品支持部材２０に倒れかかった景品Ｃの一部が景品払出口１０５へ落下するように、開口部２０ｂとを備えている。
【００７２】
さらに、景品支持部材２０には、この開口部２０ｂの開口面積を調整可能なように、本体部２０ａに対してスライド自在に支持された蓋部２１が設けられている。具体的には、図９（ａ）に示すように、蓋部２１は両側にスライド穴２２が設けられており、このスライド穴２２を本体部２０ａに取り付けられたピン２３が貫通することにより蓋部２１が支持されている。
【００７３】
これにより、蓋部２１は、本体部２０ａに対してＨ１又はＨ２方向にスライドすることが可能となる。
【００７４】
このように、開口部２０ｂの開口面積を調整することが可能であるので、積み上げられた景品Ｃが景品支持部材２０に倒れかかった場合においても、開口面積を調整しておくことにより、景品払出口１０５へ落下させて払い出す景品Ｃ１の数と、固定テーブル１０４上に落下させて回収する景品Ｃ２の数との比率を調整することができる。
【００７５】
さらに、景品支持部材２０は、本体部２０ａの両側に本体部２０ａに対してＨ１又はＨ２方向にスライド自在に支持された支持部２６が設けられている。具体的には、図９（ａ）に示すように、景品支持部材２０は、両側にスライド穴３１が設けられており、このスライド穴３１をピン２７ａ，２７ｂが貫通して支持部２６が取り付けられている。
【００７６】
また、図９（ｂ）に示すように、支持部２６は、長方形の形状を有しており、内部に空間２６ａを有している。
【００７７】
そして、この空間２６ａを貫通したピン２７ａ，２７ｂは、それぞれ当て板２８ａ，２８ｂを挟んでピン止め２９ａ，２９ｂにより固定されている。
【００７８】
図１０（ａ）は、図９（ｂ）に示したＺ方向から見た支持部２６の構造を示した図である。
【００７９】
図１０（ａ）に示すように、支持部２６は、ピン２７ａ，２７ｂが貫通できるように、内部に、ピン２７ａ，２７ｂの太さよりも十分に広い空間２６ａを有している。そして、支持部２６の空間２６ａを貫通されたピン２７ａ，２７ｂは、それぞれ当て板２８ａ，２８ｂを挟んでピン止め２９ａ，２９ｂにより螺合されている。
【００８０】
当て板２８ａ，２８ｂは、空間２６ａの幅よりも長く平板状の形状を有しており、ピン２７ａ，２７ｂが貫通する程度の貫通穴が設けられている。
【００８１】
そして、ピン止め２９ａ，２９ｂにより螺合されると、当て板２８ａ，２８ｂが、支持部２６を押さえ、これにより、景品支持部材２０の本体部２０ａと、当て板２８ａ，２８ｂとが、支持部２６を挟み込むので、支持部２６は、景品支持部材２０の本体部２０ａに対して動かないように固定される。
【００８２】
これにより、後述するように、固定テーブル１０４上に複数段に積み重ねられた景品Ｃの一部が、ターンテーブル１０２側へ転倒する際に、積み重ねられた景品Ｃの全てをターンテーブル１０２上へ落下させず、景品Ｃの一部をターンテーブル１０２上へ落下させると共に、ターンテーブル１０２上へ落下しなかった景品Ｃの一部を景品払出口１０５へ落下させることができる。
【００８３】
また、景品支持部材２０の支持部２６は、図１０（ｂ）に示すように、内部に、ピン２７ａ，２７ｂの太さよりも十分に広い空間２６ａを有しているので、垂直方向に対して傾斜して取り付けられていることも可能である。
【００８４】
例えば、景品支持部材２０の両側に、支持部２６の下端部間の距離が景品払出口１０５の幅と略同一の距離になるように、かつ、支持部２６の上端部間の距離が下端部間の距離より長くなるように、即ち、景品支持部材２０の正面から見ると、逆ハの字になるように支持部２６が取り付けることも可能である。
【００８５】
このように、支持部２６が垂直方向に対して傾斜して取り付けられた場合、図１０（ａ）に示したように垂直方向に取り付けられた場合と比較して、景品払出口１０５へ落下させる景品Ｃの数を多くすることができる。
【００８６】
＜本考案の実施例２である遊技装置２００の作用＞
次に、本考案の実施例２である遊技装置２００における作用について説明する。
【００８７】
図１１（ａ）は、本考案の実施例２である遊技装置２００の正面図である。
【００８８】
図１１（ａ）に示すように、遊技装置２００は、固定テーブル１０４上には、直方体である２つの景品Ｂが直立して載置されており、この景品Ｂ上には、例えば板チョコレートなどの板状の景品Ｃが複数段に積み上げられている。
【００８９】
そして、図示しないショベル１０３ｂが、景品Ａを掬い上げ、掬い上げた景品Ａを固定テーブル１０４上に落下させた場合、景品Ａが景品Ｂに接触して、景品ＢがＪ方向に転倒する場合がある。
【００９０】
図１１（ｂ）は、景品ＢがＪ方向に転倒した場合における遊技装置２００を示した図である。
【００９１】
図１１（ｂ）に示すように、景品ＢがＪ方向に転倒すると、景品Ｂ上に積み上げられた景品Ｃも同様にＪ方向へ転倒する。
【００９２】
ここで、Ｊ方向へ転倒した景品Ｃのうち、支持部２６を超えた位置にある景品Ｃ３は、ターンテーブル１０２上へ落下する。一方、Ｊ方向へ転倒した景品Ｃのうち、支持部２６に倒れかかった景品Ｃ４は、その状態で保持されるか、又は、保持できずに崩れた場合、崩れた景品Ｃ１は景品払出口１０５へ落下する。
【００９３】
以上のように、本考案の実施例２である遊技装置２００によれば、本考案の実施例１である遊技装置１００の効果に加え、開口部１０ｂの開口面積を調整するための蓋部２１を有するので、開口部２０ｂの開口面積を調整することが可能となり、積み上げられた景品Ｃが景品支持部材２０に倒れかかった場合においても、景品払出口１０５へ落下させて払い出す景品Ｃ１の数と、固定テーブル１０４上に落下させて回収する景品Ｃ２の数との比率を調整することができる。
【００９４】
さらに、本考案の実施例２である遊技装置２００によれば、本体部１０ａの両側下部の回転軸側（中心部側）に取り付けられた支持部２６を有するので、積み上げられた景品Ｃがターンテーブル１０２側へ転倒した場合においても、ターンテーブル１０２上へ落下する景品Ｃ３の数を制限することができる。
【実施例３】
【００９５】
本考案の実施例２では、開口部２０ｂの開口面積を調整するためにスライド自在に取り付けられた蓋部２１と、本体部２０ａの回転軸側（中心部側）にスライド自在に取り付けられた支持部を有する景品支持部材２０を備えた遊技装置２００を例に挙げて説明した。
【００９６】
本考案の実施例３では、開口部の開口面積を調整するために段階的に取り付け可能な蓋部３３と、本体部の回転軸側（中心部側）に段階的に取り付け可能な支持部を有する景品支持部材３０を備えた遊技装置３００を例に挙げて説明する。
【００９７】
図１２は、本考案の実施例３である遊技装置３００に備えられた景品支持部材３０の蓋部及び支持部を拡大した拡大正面図である。
【００９８】
図１２に示すように、景品支持部材３０は、景品支持部材１０と同様に、光透過性部材で平板状に形成された本体部３０ａと、下部には、景品支持部材３０に倒れかかった景品Ｃの一部が景品払出口１０５へ落下するように、開口部３０ｂとを備えている。
【００９９】
さらに、景品支持部材３０には、この開口部３０ｂの開口面積を調整可能なように、本体部３０ａに対して段階的に取り付け可能な蓋部３３が設けられている。具体的には、図１２に示すように、景品支持部材３０には、開口部３０ｂの開口面積を調整可能なように複数の取付孔３２ａ〜３２ｄが設けられている。そして、複数の取付孔３２ａ〜３２ｄのうち、少なくとも１つの取付孔を本体部３０ａに取り付けられたピン２３が貫通することにより蓋部３３が支持されている。
【０１００】
このように、開口部３０ｂの開口面積を調整することが可能であるので、積み上げられた景品Ｃが景品支持部材３０に倒れかかった場合においても、開口面積を調整しておくことにより、景品払出口１０５へ落下させて払い出す景品Ｃ１の数と、固定テーブル１０４上に落下させて回収する景品Ｃ２の数との比率を調整することができる。
【０１０１】
さらに、景品支持部材３０は、本体部３０ａの左右両側に本体部３０ａに対して段階的に取り付け可能な支持部２６が設けられている。具体的には、図１２に示すように、本体部３０ａには、左右両側に上下方向に複数の取付孔３５ａ〜３５ｄが設けられており、この複数の取付孔３５ａ〜３５ｄのうち２つの取付孔をピン２７ａ，２７ｂが貫通して支持部２６が取り付けられている。
【０１０２】
このように、支持部２６は、本体部３０ａに対して段階的に取り付け可能であるので、取り付け位置により、固定テーブル１０４上に複数段に積み重ねられた景品Ｃが、ターンテーブル１０２側へ転倒する場合における、ターンテーブル１０２上へ落下させる景品Ｃの数量と、景品払出口１０５へ落下させる景品Ｃの数量との比率を調整することができる。
【０１０３】
なお、本考案の実施例１〜３では、遊技空間を覆う光透過性カバーの外部から操作する遊技者の入力操作に基づいて、ターンテーブル上に配置された景品をショベルにより掬い上げて固定テーブルの上に落下させ、スライドテーブルの往復運動により固定テーブル上に複数段に積み重ねられた景品の一部が景品払出口へ落下する遊技装置を例に挙げて説明したが、これに限らない。本考案に係る遊技装置は、遊技空間を覆う光透過性カバーと、遊技空間内に設けられた固定テーブルと、固定テーブル上に複数段に積み重ねられた景品とを備えていればよい。
【符号の説明】
【０１０４】
１０，２０，３０…景品支持部材
１０ａ，２０ａ，３０ａ…本体部
１０ｂ，２０ｂ，３０ｂ…開口部
１２…脚部
２１，３３…蓋部
２２…スライド穴
２３…ピン
２６…支持部
２７ａ，２７ｂ…ピン
２８ａ，２８ｂ…当て板
３１…スライド穴
３２ａ〜３２ｄ，３５ａ〜３５ｄ…取付孔
１００…遊技装置
１０１…台座
１０２…ターンテーブル
１０３…ショベル機構部
１０３ａ…アーム
１０３ｂ…ショベル
１０４…固定テーブル
１０５…景品払出口
１０６…スライドテーブル
１０７…操作部
１０７ａ…始動指示ボタン
１０７ｂ…落下指示ボタン
１０８…光透過性カバー
１１０…フレーム
１１１…空間
２００…遊技装置
【図１】
0003168772.tif 000003
【図２】
0003168772.tif 000004
【図３】
0003168772.tif 000005
【図４】
0003168772.tif 000006
【図５】
0003168772.tif 000007
【図６】
0003168772.tif 000008
【図７】
0003168772.tif 000009
【図８】
0003168772.tif 000010
【図９】
0003168772.tif 000011
【図１０】
0003168772.tif 000012
【図１１】
0003168772.tif 000013
【図１２】
0003168772.tif 000014
【手続補正書】
【提出日】平成23年4月20日(2011.4.20)
【手続補正１】
【補正対象書類名】実用新案登録請求の範囲
【補正対象項目名】全文
【補正方法】変更
【補正の内容】
【実用新案登録請求の範囲】
【請求項１】
光透過性部材で形成され、遊技空間を覆う光透過性カバーと、前記遊技空間内に設けられた固定テーブルと、前記固定テーブル上に複数段に積み重ねられた景品とを備えた遊技装置に設けられる景品支持部材であって、
光透過性部材で平板状に形成された本体部と、前記本体部の下部に設けられた開口部とを備え、前記固定テーブルの延長上であって前記光透過性カバーとの間に前記本体部の下部が配置され、前記光透過性カバーの内側に前記光透過性カバーと空間を空けて設けられる
ことを特徴とする景品支持部材。
【請求項２】
前記開口部の開口面積を調整可能なように、前記本体部に対してスライド自在に支持された蓋部を、
さらに有したことを特徴とする請求項１記載の景品支持部材。
【請求項３】
前記開口部の開口面積を調整可能なように複数の取付孔が設けられ、前記複数の取付孔のうち、少なくとも１つの取付孔により前記本体部に取り付けられた蓋部を、
さらに有したことを特徴とする請求項１記載の景品支持部材。
【請求項４】
前記固定テーブル上に複数段に積み重ねられた景品の一部が前記固定テーブルから落下しないように、前記本体部の前記固定テーブル側に取り付けられた支持部
を更に備えたことを特徴とする請求項１〜３のいずれか１項記載の景品支持部材。
【請求項５】
前記支持部は、
前記本体部への取り付け位置が上下方向にスライド自在になるように取り付けられた
ことを特徴とする請求項４記載の景品支持部材。
【請求項６】
前記支持部は、
前記本体部の上下方向に複数設けられた取付孔のうち、少なくとも１つの取付孔に取り付けられた
ことを特徴とする請求項４記載の景品支持部材。
【請求項７】
光透過性部材で形成され、遊技空間を覆う光透過性カバーと、
前記遊技空間内で回転軸を中心に回転するターンテーブルと、
前記回転軸を回転可能に軸支する台座と、
前記ターンテーブルの上方で前記台座に固定され、前記回転軸側から前記ターンテーブルの外周側に延出した固定テーブルと、
前記固定テーブルの端部の下方に設置された景品払出口と、
前記固定テーブル上に複数段に積み重ねられた景品と、前記固定テーブル上を前記景品払出口に近づき又は遠ざかるように往復移動するスライドテーブルと、
光透過性部材で平板状に形成された本体部と、前記本体部の下部に設けられた開口部とを備え、前記固定テーブルの端部側の前記光透過性カバー近傍に前記本体部の下部が配置されると共に、前記台座に前記本体部の上部が配置されることにより、前記光透過性カバーの内側に前記光透過性カバーと空間を空けて設けられた景品支持部材と、
を備えたことを特徴とする遊技装置。
【請求項８】
前記景品支持部材は、
前記開口部の開口面積を調整可能なように、前記本体部に対してスライド自在に支持された蓋部を、さらに有した
ことを特徴とする請求項７記載の遊技装置。
【請求項９】
前記景品支持部材は、
前記開口部の開口面積を調整可能なように複数の取付孔が設けられ、前記複数の取付孔のうち、少なくとも１つの取付孔により前記本体部に取り付けられた蓋部を、さらに有した
ことを特徴とする請求項７記載の遊技装置。
【請求項１０】
前記景品支持部材は、
前記固定テーブル上に複数段に積み重ねられた景品が、前記ターンテーブル側へ転倒する際に、前記積み重ねられた景品の一部が前記ターンテーブル上へ落下するように、前記本体部の前記回転軸側に取り付けられた支持部を、さらに有した
ことを特徴とする請求項８又は９記載の遊技装置。
【請求項１１】
前記支持部は、
前記本体部への取り付け位置が上下方向にスライド自在になるように取り付けられた
ことを特徴とする請求項１０記載の遊技装置。
【請求項１２】
前記支持部は、
前記本体部の上下方向に複数設けられた取付孔のうち、少なくとも１つの取付孔に取り付けられた
ことを特徴とする請求項１０記載の遊技装置。